(57)【特許請求の範囲】
【請求項１】
モバイル着信呼をモバイル・デバイスに対して配信する方法であって、
ゲートウェイ・モバイル交換センタ（ＧＭＳＣ）から前記モバイル・デバイスについての１つまたは複数の呼設定メッセージを、訪問モバイル交換センタ／訪問ロケーション・レジスタ（ＶＭＳＣ／ＶＬＲ）によって受信するステップと、
前記モバイル・デバイスにページングするステップと、
前記モバイル・デバイスに割り当てられたホーム・ロケーション・レジスタ（ＨＬＲ）から位置取消しメッセージを受信するステップとを備え、前記位置取消しメッセージは、前記モバイル着信ローミング転送（ＭＴＲＦ）フラグと、新しいＶＭＳＣ／ＶＬＲのアドレスとを含み、さらに、
前記新しいＶＭＳＣ／ＶＬＲにローミング番号を要求するステップと、
前記新しいＶＭＳＣ／ＶＬＲからローミング番号を受信するステップと、
前記呼設定メッセージを前記新しいＶＭＳＣ／ＶＬＲに対して転送するステップとを備える、方法。
【請求項２】
前記１つまたは複数の呼設定メッセージを受信する前記ステップは、
前記ＨＬＲから提供ルーティング番号（ＰＲＮ）メッセージを受信するステップと、
提供ルーティング番号肯定応答メッセージ（ＰＲＮ  ＡＣＫ）を前記ＨＬＲに対して送信するステップと、
前記ＧＭＳＣから初期アドレス・メッセージ（ＩＡＭ）を受信するステップとをさらに備える、請求項１に記載の方法。
【請求項３】
前記ＭＴＲＦフラグが前記位置取消しメッセージにおいて設定されないときには、前記呼を前記新しいＶＭＳＣ／ＶＬＲにルーティング変更するように前記ＧＭＳＣに要求するステップと、
前記ＭＴＲＦフラグが前記位置取消しメッセージにおいて設定されるときには、前記位置取消しメッセージに応じて、前記新しいＶＭＳＣ／ＶＬＲとのローミング協定をチェックするステップと、ＭＴＲＦが許可されないときには、前記呼を前記新しいＶＭＳＣ／ＶＬＲにルーティング変更するように前記ＧＭＳＣに要求するステップとをさらに備える、請求項１に記載の方法。
【請求項４】
前記ＨＬＲと、以前のＶＭＳＣ／ＶＬＲと、新しいＶＭＳＣ／ＶＬＲとは、同じ公衆回線モバイル・ネットワーク（ＰＬＭＮ）の中に位置しておらず、それぞれが、ＭＴＲＦオペレーションの許可を実行する前にローミング協定をチェックする、請求項１に記載の方法。
【請求項５】
モバイル・デバイスはＬＴＥ（ロング・ターム・エボリューション）デバイスであり、前記ＧＭＳＣは２Ｇ／３Ｇデバイスであり、前記新しいＶＭＳＣ／ＶＬＲは、ＬＴＥモバイル・デバイスについての回路交換された呼を取り扱うように指定されるＭＳＣ／ＶＬＲであり、前記ページングするステップは、回路交換されたページを前記モバイル・デバイスの中のＬＴＥ無線機に対して送信するステップをさらに備える、請求項１に記載の方法。
【請求項６】
モバイル着信呼をモバイル・デバイスに対して配信する電気通信ネットワークにおいて使用する装置であって、
ゲートウェイ・モバイル交換センタ（ＧＭＳＣ）から前記モバイル・デバイスについての１つまたは複数の呼設定メッセージを、訪問モバイル交換センタ／訪問ロケーション・レジスタ（ＶＭＳＣ／ＶＬＲ）によって受信するステップと、
前記モバイル・デバイスにページングするステップと、
前記モバイル・デバイスに割り当てられたホーム・ロケーション・レジスタ（ＨＬＲ）から、モバイル着信ローミング転送（ＭＴＲＦ）フラグと、新しいＶＭＳＣ／ＶＬＲのアドレスとを含む位置取消しメッセージを受信するステップと、
前記新しいＶＭＳＣ／ＶＬＲにローミング番号を要求するステップと、
前記新しいＶＭＳＣ／ＶＬＲからローミング番号を受信するステップと、
前記呼設定メッセージを前記新しいＶＭＳＣ／ＶＬＲに対して転送するステップと、
を実行するように構成された装置。
【請求項７】
１つまたは複数の呼設定メッセージを受信する前記ステップの一部分として、
前記ＨＬＲから提供ルーティング番号（ＰＲＮメッセージを受信するステップと、
提供ルーティング番号肯定応答メッセージ（ＰＲＮ  ＡＣＫ）を前記ＨＬＲに対して送信するステップと、
前記ＧＭＳＣから初期アドレス・メッセージを受信するステップと、を実行するようにさらに構成された、請求項６に記載の装置。
【請求項８】
前記ＭＴＲＦフラグが前記位置取消しメッセージにおいて設定されないときには、前記呼を前記新しいＶＭＳＣ／ＶＬＲにルーティング変更するように前記ＧＭＳＣに要求するステップと、
前記ＭＴＲＦフラグが前記位置取消しメッセージにおいて設定されるときには、前記位置取消しメッセージに応じて、前記新しいＶＭＳＣ／ＶＬＲとのローミング協定をチェックするステップと、ＭＴＲＦが許可されないときには、前記呼を前記新しいＶＭＳＣ／ＶＬＲにルーティング変更するように前記ＧＭＳＣに要求するステップと、を実行するようにさらに構成された、請求項６に記載の装置。
【請求項９】
前記モバイル・デバイスはＬＴＥ（ロング・ターム・エボリューション）デバイスであり、前記ＧＭＳＣは２Ｇ／３Ｇデバイスであり、前記新しいＶＭＳＣ／ＶＬＲは、ＬＴＥモバイル・デバイスについての回路交換された呼を取り扱うように指定されるＭＳＣ／ＶＬＲであり、前記ページングするステップは、回路交換されたページを前記モバイル・デバイスの中のＬＴＥ無線機に対して送信するステップをさらに備える、請求項６に記載の装置。
【発明の詳細な説明】
【技術分野】
【０００１】
関連出願の相互参照
本出願は、２０１１年１月２１日に出願した仮特許出願第６１／４３４，９６１号の出願日の利益を主張するものであり、またその全体を参照により組み込む。
【０００２】
本発明は、一般には、ワイヤレス通信システムに関し、より詳細には、位置更新中のモバイル着信呼の取り扱いに関する。
【背景技術】
【０００３】
今日のワイヤレス電気通信ネットワークは、世界中のほとんどどこからも電気通信サービスにアクセスする能力を電話加入者に提供している。そのような世界的規模のアクセスを容易にすることの鍵は、モビリティ管理である。モビリティ管理を用いて、ワイヤレス・ネットワークは、モバイル・サービスを移動局に提供できるように移動局の位置を追跡することができる。
【０００４】
ワイヤレス・ネットワークは、一般的に、その中で移動局などのモバイル・デバイスがモバイル・サービスを受信できる小さい地理的エリアをそれぞれがカバーしている、いくつかのセルから形成される。各セルは、無線カバレッジをセルに提供する基地局を備えており、それによって、セルの内部に位置するモバイル・デバイスとの通信を可能にしている。複数の基地局のカバレッジを統合することにより、ワイヤレス・ネットワークは、大きい地理的エリアに渡って移動局に無線カバレッジを提供することができる。
【０００５】
隣接する基地局の集まりのカバレッジ・エリアは、一般に、位置エリアと呼ばれる。各位置エリアは、モバイル交換センタ（ＭＳＣ：ｍｏｂｉｌｅ  ｓｗｉｔｃｈｉｎｇ  ｃｅｎｔｅｒ）によってサービスされ、また各ＭＳＣは、複数の位置エリアにサービスすることができる。ＭＳＣは、回路交換発呼サービスと、モビリティ管理サービスと、他の電気通信／モバイル・サービスとをモバイル加入者に対して提供するネットワーク・ノードである。特に、ＭＳＣは、ＭＳＣによってサービスされる位置エリアのうちの１つの内部に現在位置しているすべてのモバイル加入者についての加入者データを保持する。モバイル加入者データは、ワイヤレス・ネットワークの内部のホーム・ロケーション・レジスタ（ＨＬＲ：ｈｏｍｅ  ｌｏｃａｔｉｏｎ  ｒｅｇｉｓｔｅｒ）の中に恒久的に保持される。移動局が、ＭＳＣの範囲の内部にあるときに、そのＭＳＣは、ＨＬＲからモバイル加入者データのコピーを獲得し、それを訪問ロケーション・レジスタ（ＶＬＲ：ｖｉｓｉｔｉｎｇ  ｌｏｃａｔｉｏｎ  ｒｅｇｉｓｔｅｒ）の中に保持する。移動局の位置エリアはまた、ＭＳＣが、モバイル着信呼について位置エリアにおいて移動局をページングするために訪問ロケーション・レジスタ（ＶＬＲ）の中に保持される。移動局の現在の位置エリアに関連づけられたＭＳＣは、移動局に対する訪問モバイル交換センタ（ＶＭＳＣ：ｖｉｓｉｔｉｎｇ  ｍｏｂｉｌｅ  ｓｗｉｔｃｈｉｎｇ  ｃｅｎｔｅｒ）と呼ばれる。モバイル加入者を対象とした呼を受信するＭＳＣは、ゲートウェイＭＳＣと呼ばれる。
【０００６】
移動局が、新しい位置エリアへと移動し、または「ローミングする」ときに、移動局は、位置更新手順と一般に呼ばれるものを実行することにより、位置エリアにおける変更についてワイヤレス・ネットワークに通知しなければならない。各モバイル・デバイスは、記憶されたＬＡＩ（位置エリアｉｄ）を新しく選択されたセルのＬＡＩと比較する役割を担っている。モバイル・デバイスが、受信されたＬＡＩが記憶されたＬＡＩとは異なることを見出す場合、モバイル・デバイスは、位置更新要求をワイヤレス・ネットワークに対して送信する。新しい位置が、以前の位置エリアとは異なるＶＭＳＣによってサービスされる場合、ＶＬＲ間位置更新（ｉｎｔｅｒ−ＶＬＲ  ｌｏｃａｔｉｏｎ  ｕｐｄａｔｅ）が、実行される。
【０００７】
ＶＬＲ間位置更新中に、移動局から位置更新要求を受信する新しいＶＭＳＣは、位置更新メッセージをモバイル加入者のＨＬＲに対して送信する。位置更新メッセージを受信するとすぐに、ＨＬＲは、新しいＶＭＳＣのＶＬＲに一次的に記憶するためにモバイル加入者に関連する加入者データを新しいＶＭＳＣに対して転送し、また移動局が、今や新しいＶＭＳＣによってサービスされることを示すようにそのレコードを更新する。さらに、移動局が、もはや以前のＶＭＳＣによってはサービスされないので、ＨＬＲは、このモバイル加入者についてのその加入者レコードを削除するメッセージを以前のＶＭＳＣに対して送信する。
【０００８】
ひとたび位置更新手順が完了した後に、移動局は、新しいＬＡＩを記憶し、また新しいＶＭＳＣを通してモバイル・サービスを受信し続けることができる。例えば、典型的なモバイル着信呼シナリオにおいては、移動局に対する着信呼は、呼び出された移動局のＨＰＬＭＮ（ホーム公衆回線モバイル・ネットワーク（Ｈｏｍｅ  Ｐｕｂｌｉｃ  Ｌｉｎｅ  Ｍｏｂｉｌｅ  Ｎｅｔｗｏｒｋ））のゲートウェイ・モバイル交換センタ（ＧＭＳＣ：ｇａｔｅｗａｙ  ｍｏｂｉｌｅ  ｓｗｉｔｃｈｉｎｇ  ｃｅｎｔｅｒ）に対して最初にルーティングされる。呼を受信するとすぐに、ＧＭＳＣは、モバイル加入者のＨＬＲに問い合わせを行って、その上で移動局が現在登録されているＶＭＳＣを決定する。ＨＬＲは、一般的にＶＭＳＣからルーティング情報を取得し、またそれをＧＭＳＣに対して戻す。ＧＭＳＣは、ルーティング情報を使用して、呼をＶＭＳＣに対してルーティングする。ＶＭＳＣは、呼び出されたモバイル加入者が、その位置エリアを決定するためのその加入者データにアクセスし、またその位置エリアの内部の移動局にページングして、呼び出し側と、モバイル加入者との間の呼接続を設定する。
【０００９】
しかしながら、モバイル着信呼が、移動局がＶＬＲ間位置更新を実行している時間中に受信される場合、モバイル着信呼は、移動局に対して完了されないこともある。例えば、ＧＭＳＣが、ルーティング情報についてＨＬＲに問い合わせを行うときに、ＨＬＲは、まだＶＭＳＣにおける変更について通知されていない場合、以前のＶＭＳＣについてのルーティング情報をＧＭＳＣに対して戻すことになる。それゆえに、ＧＭＳＣは、移動局にページングしようと試みることになる、以前のＶＭＳＣに対して呼をルーティングすることになる。移動局は、もはやＶＭＳＣ位置エリアの中にはないので、モバイル・デバイスは、ページに応答することができなくなる。現在、モバイル・デバイスが、モバイル着信呼についてページに応答しないときに、ＶＭＳＣは、呼を新しいＶＭＳＣにルーティング変更するようにＧＭＳＣに要求する。このメカニズムは、モバイル着信ローミング再試行（ＭＴＲＲ：Ｍｏｂｉｌｅ  Ｔｅｒｍｉｎａｔｉｏｎ  Ｒｏａｍｉｎｇ  Ｒｅｔｒｙ）と呼ばれ、またさらに、参照によって組み込まれているＷＯ第２００８／０３３９５１号、「Ｄｅｌｉｖｅｒｙ  ｏｆ  Ｍｏｂｉｌｅ  Ｔｅｒｍｉｎａｔｅｄ  Ｃａｌｌ  Ｄｕｒｉｎｇ  Ｉｎｔｅｒ−ＶＬＲ  Ｌｏｃａｔｉｏｎ  Ｕｐｄａｔｅ」においてさらに説明されている。２つの可能性のある国際呼がＧＭＳＣからＶＭＳＣへと連続的に行われる必要があるので、これは、多数のモバイル加入者およびネットワーク・プロバイダにとって不満足なことである。これは、第１の呼の確立中にネットワーク・リソースを浪費しながら呼設定においてかなりの遅延を導入する可能性がある。
【先行技術文献】
【特許文献】
【００１０】
【特許文献１】国際公開第２００８／０３３９５１号
【発明の概要】
【発明が解決しようとする課題】
【００１１】
したがって、ＶＬＲ間位置更新中にモバイル着信呼を移動局に対して配信するための改善されたメカニズムが求められている。
【課題を解決するための手段】
【００１２】
本発明の実施形態は、ＭＳＣ間位置更新オペレーション中に以前のＶＭＳＣ／ＶＬＲから新しいＶＭＳＣ／ＶＬＲへとローカルにモバイル着信呼をルーティングするための方法および装置を開示している。
【００１３】
一実施形態においては、モバイル交換センタ（ＭＳＣ）と通信するモバイル・デバイスに対してモバイル着信呼を配信するための方法であって、モバイル着信呼をモバイル・デバイスに対して配信しようと試みるステップと、モバイル・デバイスが、もはやＭＳＣによってサービスされる位置エリアの中にはないことを示すメッセージを受信するステップと、モバイル着信呼を異なるＭＳＣに対して転送するステップとを含む方法が、提供されている。
【００１４】
上記方法のいくつかの実施形態は、モバイル・デバイスに割り当てられたホーム・ロケーション・レジスタ（ＨＬＲ）から移動局ローミング番号を有する初期アドレス・メッセージを受信するステップをさらに含んでいる。
【００１５】
上記方法のいずれかのいくつかの実施形態は、モバイル・デバイスが、ＩＡＭメッセージが受信された後に位置更新手順を開始することを含む。
【００１６】
上記方法のいずれかのいくつかの実施形態は、ＭＴＲＦフラグが位置取消しメッセージにおいて設定されない場合に、呼を新しいＶＭＳＣ／ＶＬＲにルーティング変更するようにＧＭＳＣに要求するステップと、ＭＴＲＦフラグが位置取消しメッセージにおいて設定される場合に、位置取消しメッセージに応じて新しいＶＭＳＣ／ＶＬＲとのローミング協定をチェックするステップと、ＭＴＲＦが許可されない場合に、呼を新しいＶＭＳＣ／ＶＬＲにルーティング変更するようにＧＭＳＣに要求するステップとをさらに含む。
【００１７】
上記方法のうちの任意のもののいくつかの実施形態は、異なるＭＳＣから移動局ローミング番号を受信するステップと、モバイル着信呼のことを意味する初期アドレス・メッセージを異なるＭＳＣに対して配信するステップとをさらに含む。
【００１８】
上記方法のうちの任意のもののいくつかの実施形態は、モバイル・デバイスがＬＴＥ（ロング・ターム・エボリューション（Ｌｏｎｇ  Ｔｅｒｍ  Ｅｖｏｌｕｔｉｏｎ））デバイスであり、モバイル着信呼が回路交換網から生じることを含み、また試みるステップは、回路交換されたページをモバイル・デバイスの中のＬＴＥ無線機に対して送信するステップをさらに含む。
【００１９】
上記方法のうちの任意のもののいくつかの実施形態は、ＬＴＥ無線機から２Ｇ／３Ｇ無線機にチューニング変更されているＬＴＥモバイル・デバイスから位置更新要求を受信するステップをさらに含んでいる。
【００２０】
上記方法のうちの任意のもののいくつかの実施形態は、以下をさらに含んでおり、そこでは異なるＭＳＣは、ＬＴＥモバイル・デバイスについての回路交換された呼を取り扱うように指定されるＭＳＣである。
【００２１】
別の実施形態においては、モバイル着信呼をモバイル・デバイスに対して配信するための方法であって、ゲートウェイ・モバイル交換センタ（ＧＭＳＣ）からモバイル・デバイスについての初期アドレス・メッセージ（ＩＡＭ）を受信するステップと、ＩＡＭによって参照されるモバイル・デバイスにページングするステップと、モバイル・デバイスに割り当てられたホーム・ロケーション・レジスタ（ＨＬＲ）から、モバイル着信ローミング転送（ＭＴＲＦ）フラグと、新しい訪問モバイル交換センタ／訪問ロケーション・レジスタ（ＶＭＳＣ／ＶＬＲ）のアドレスとを含む位置取消しメッセージを受信するステップと、提供ルーティング番号メッセージを新しいＶＭＳＣ／ＶＬＲに対して送信するステップと、新しいＶＭＳＣ／ＶＬＲからＰＲＮ応答メッセージを受信するステップと、ＩＡＭを新しいＶＭＳＣ／ＶＬＲに対して転送するステップとを含む方法が、提供されている。
【００２２】
上記方法のうちの任意のもののいくつかの実施形態は、ＨＬＲからのＰＲＮメッセージに応じて、ＧＭＳＣからのＳＲＩメッセージに応じて提供ルーティング番号肯定応答メッセージ（ＰＲＮ  ＡＣＫ：ｐｒｏｖｉｄｅ  ｒｏｕｔｉｎｇ  ｎｕｍｂｅｒ  ａｃｋｎｏｗｌｅｄｇｅ  ｍｅｓｓａｇｅ）をＨＬＲに対して送信するステップをさらに含み、ＩＡＭメッセージは、ＰＲＮ  ＡＣＫメッセージが送信された後に、受信される。
【００２３】
上記方法のいずれかのいくつかの実施形態は、モバイル・デバイスが、ＩＡＭメッセージが受信された後に位置更新手順を開始することをさらに含む。
【００２４】
上記方法のうちの任意のもののいくつかの実施形態は、ＭＴＲＦフラグが、位置取消しメッセージにおいて設定されない場合に、呼を新しいＶＭＳＣ／ＶＬＲにルーティング変更するようにＧＭＳＣに要求するステップと、ＭＴＲＦフラグが、位置取消しメッセージにおいて設定される場合に、位置取消しメッセージに応じて新しいＶＭＳＣ／ＶＬＲとのローミング協定をチェックするステップと、ＭＴＲＦが許可されない場合に、呼を新しいＶＭＳＣ／ＶＬＲにルーティング変更するようにＧＭＳＣに要求するステップとをさらに含む。
【００２５】
上記方法のいずれかのいくつかの実施形態は、ＨＬＲと、以前のＶＭＳＣ／ＶＬＲと、新しいＶＭＳＣ／ＶＬＲとが同じ公衆地上モバイル・ネットワーク（ＰＬＭＮ）の中に位置することをさらに含む。
【００２６】
上記方法のいずれかのいくつかの実施形態は、ＨＬＲと、以前のＶＭＳＣ／ＶＬＲと、新しいＶＭＳＣ／ＶＬＲとが同じ公衆回線モバイル・ネットワーク（ＰＬＭＮ）の中に位置しておらず、それぞれが、ＭＴＲＦオペレーション許可を実行前する前にローミング協定をチェックする。
【００２７】
上記方法のうちの任意のもののいくつかの実施形態は、モバイル・デバイスがＬＴＥ（ロング・ターム・エボリューション）デバイスであり、ＧＭＳＣが２Ｇ／３Ｇデバイスであり、新しいＶＭＳＣ／ＶＬＲが、ＬＴＥモバイル・デバイスについての回路交換された呼を取り扱うように指定されるＭＳＣ／ＶＬＲであることをさらに含み、ページングするステップが、回路交換されたページをモバイル・デバイスの中のＬＴＥ無線機に対して送信するステップをさらに含む。
【００２８】
別の実施形態においては、モバイル着信呼をモバイル・デバイスに対して配信するための電気通信ネットワークにおいて使用するための装置であって、ゲートウェイ・モバイル交換センタ（ＧＭＳＣ）からモバイル・デバイスについての初期アドレス・メッセージ（ＩＡＭ）を受信するステップと、ＩＡＭによって参照されるモバイル・デバイスにページングするステップと、モバイル・デバイスに割り当てられたホーム・ロケーション・レジスタ（ＨＬＲ）から、モバイル着信ローミング転送（ＭＴＲＦ）フラグと、新しい訪問モバイル交換センタ／訪問ロケーション・レジスタ（ＶＭＳＣ／ＶＬＲ）のアドレスとを含む位置取消しメッセージを受信するステップと、提供ローミング番号（ＰＲＮ）メッセージを新しいＶＭＳＣ／ＶＬＲに対して送信するステップと、新しいＶＭＳＣ／ＶＬＲからＰＲＮ応答メッセージを受信するステップと、ＩＡＭを新しいＶＭＳＣ／ＶＬＲに対して転送するステップとを実行するように構成された装置が、提供されている。
【００２９】
上記装置のいくつかの実施形態は、さらに、ＨＬＲからのＰＲＮメッセージに応じて、ＧＭＳＣからのＳＲＩメッセージに応じて提供ルーティング番号肯定応答メッセージ（ＰＲＮ  ＡＣＫ）をＨＬＲに対して送信するステップを実行するように構成されてもよく、ＩＡＭメッセージは、ＰＲＮ  ＡＣＫメッセージが送信された後に受信される。
【００３０】
上記装置のいくつかの実施形態は、さらに、ＭＴＲＦフラグが、位置取消しメッセージにおいて設定されない場合に、ＨＬＲにＰＲＮメッセージを新しいＶＭＳＣ／ＶＬＲに対して送信するようにさせるステップと、位置取消しメッセージに応じて新しいＶＭＳＣ／ＶＬＲとのローミング協定をチェックするステップと、新しいＶＭＳＣ／ＶＬＲがＭＴＲＦをサポートしない場合に、ＨＬＲにＰＲＮメッセージを新しいＶＭＳＣ／ＶＬＲに対して送信するようにさせるステップとを実行するように構成されてもよい。
【００３１】
上記装置のいくつかの実施形態は、ＨＬＲと、以前のＶＭＳＣ／ＶＬＲと、新しいＶＭＳＣ／ＶＬＲとが同じ公衆回線モバイル・ネットワーク（ＰＬＭＮ）の中に位置しておらず、それぞれが、ＭＴＲＦオペレーションの許可を実行する前にローミング協定をチェックすることをさらに含んでもよい。
【００３２】
上記装置のいくつかの実施形態は、モバイル・デバイスがＬＴＥ（ロング・ターム・エボリューション）デバイスであり、ＧＭＳＣが２Ｇ／３Ｇデバイスであり、新しいＶＭＳＣ／ＶＬＲが、ＬＴＥモバイル・デバイスについての回路交換された呼を取り扱うように指定されるＭＳＣ／ＶＬＲであることをさらに含んでもよく、ページングするステップは、回路交換されたページをモバイル・デバイスの中のＬＴＥ無線機に対して送信するステップをさらに含む。
【００３３】
本発明の実装形態の例についての特徴は、説明と、特許請求の範囲と、添付の図面とから明らかになるであろう。
【図面の簡単な説明】
【００３４】
【図１】本発明の実施形態による、ＶＬＲ間位置更新中にモバイル着信呼を移動局に対して配信するための例示のワイヤレス・ネットワークを示すブロック図である。
【図２】図１に示される実施形態による、モバイル着信呼を移動局に対して配信するための例示の信号方式を示す信号図である。
【図３】図１に示される実施形態による、モバイル着信呼を移動局に対して配信するための例示の信号方式のより詳細な図を示す信号図である。
【図４】モバイル着信呼を移動局に対して配信するための例示のプロセスを示すフローチャートである。
【発明を実施するための形態】
【００３５】
世界中のワイヤレス・ネットワークは、第２世代および第３世代の（２Ｇ／３Ｇ）ネットワークからロング・ターム・エボリューション（ＬＴＥ：４Ｇとしても知られている）ネットワークへと更新するプロセスの中にある。ＬＴＥネットワークと移動局とが、ＬＴＥの上で直接に音声サービスを十分にサポートするまで、移動局は、２Ｇ／３Ｇの上で音声サービスをサポートすることができるように回路交換されたフォールバック（ＣＳＦＢ：Ｃｉｒｃｕｉｔ−Ｓｗｉｔｃｈｅｄ  ＦａｌｌＢａｃｋ）手順を実行できなければならない。ＣＳＦＢは、ＬＴＥ移動局が、回路交換されたコア・ネットワークを用いて位置更新手順を実行することを必要とし、その結果、ＬＴＥ移動局は、モバイル着信回路交換呼について到達可能になる。ＬＴＥアクセス・ネットワークは、ＬＴＥ移動局から２Ｇ／３Ｇ  ＶＭＳＣへと位置更新メッセージを渡すように構成されている。モバイル着信呼が、ＬＴＥの上で現在キャンプされている移動局についてＧＭＳＣによって受信されるときに、移動局は、ＶＭＳＣとＬＴＥアクセス・ネットワークとを経由してＬＴＥ無線の上で回路交換されたページ要求を普通に受信し、それが、ＬＴＥの上で呼を完了することができないことを認識し、また２Ｇ／３Ｇ無線に戻ることによりＣＳＦＢ手順を開始して、ページに応答し、また呼が完了することを可能にする。しかしながら、移動局がチューニング変更する相手の２Ｇ／３Ｇ無線が、ＶＭＳＣの位置エリアの中にないといういくつかの場合が存在する。これは、例えば、ＬＴＥトラッキング・エリアのＣＳ位置エリアに対するマッピングが、不正確であるときに、移動局が、位置エリアの間の境界の上にあるときに、あるいは移動局が、チューニング変更する相手の２Ｇ／３Ｇ無線を管理するＶＭＳＣが、ＬＴＥアクセス・ネットワークを経由して位置更新要求を受け入れるように、アップグレードされておらず、または構成されていないときに、起こる可能性がある。この後者の場合には、ＬＴＥアクセス・ネットワークは、２Ｇ／３Ｇ無線の位置エリアに関連づけられていない互換性のあるＶＭＳＣに対して位置更新要求を送信するように構成されていることもある。これらの場合のすべてにおいて、移動局は、２Ｇ／３Ｇ無線に対してチューニング変更するとすぐに、位置更新手順を先ず実行し、その後に、ＭＴＲＲと、可能性のある代替的なアルゴリズムとが適用されて、正常な呼配信を可能にする。競合状態中の例外手順であるのではなくて、それが、２Ｇ／３Ｇネットワークであるので、この手順は、いくつかのＬＴＥネットワークにおいては一般的なものになる。
【００３６】
図１は、本発明の実施形態に従って、ＶＬＲ間位置更新中にモバイル着信呼２０を移動局８０に対して配信するための例示のワイヤレス・ネットワーク１０を示すブロック図である。ワイヤレス・ネットワーク１０は、ゲートウェイ・モバイル交換センタ（ＧＭＳＣ）３０と、モバイル交換センタ／訪問者ロケーション・レジスタ（ＭＳＣ／ＶＬＲ  ５０および６０）と、２Ｇについての基地局システム（ＢＳＳ：Ｂａｓｅ  Ｓｔａｔｉｏｎ  Ｓｙｓｔｅｍ）７０（または３Ｇについての無線ネットワーク制御装置（ＲＮＣ：Ｒａｄｉｏ  Ｎｅｔｗｏｒｋ  Ｃｏｎｔｒｏｌｌｅｒ））と、ホーム・ロケーション・レジスタ（ＨＬＲ）４０とを含む。ＭＳＣ／ＶＬＲ  ５０は、位置エリア５５にサービスするが、ＭＳＣ／ＶＬＲ  ６０は、位置エリア６５にサービスする。各ＭＳＣ／ＶＬＲ  ５０および６０は、複数の位置エリアにサービスすることができることを理解すべきである。しかしながら、簡単にするために、各ＭＳＣ／ＶＬＲについてただ１つの位置が示されている。
【００３７】
図１に示されるように、移動局８０は、ＭＳＣ／ＶＬＲ  ６０によってサービスされる位置エリア６５からＭＳＣ／ＶＬＲ  ５０によってサービスされる位置エリア５５へと最近になって移動している。それゆえに、ＭＳＣ／ＶＬＲ  ６０は、「以前のＭＳＣ／ＶＬＲ」とラベル付けされるが、ＭＳＣ／ＶＬＲ  ５０は、「新しいＭＳＣ／ＶＬＲ」とラベル付けされる。移動局８０は、新しいＭＳＣ／ＶＬＲ  ５０によってサービスされる新しい位置エリア５５へとローミングしたと認識すると（すなわち、ＢＳＳ  ７０から受信される位置エリアｉｄ（ＬＡＩ）が新しいと決定することにより）、移動局８０は、ＢＳＳ７０を経由して位置更新要求を新しいＭＳＣ／ＶＬＲ  ５０に対して送信する。移動局８０はまた、段落［００３４］において説明されるようにＬＴＥネットワークの上でページを受信した後に、位置更新要求を新しいＭＳＣ／ＶＬＲ  ５０に対して送信することもできる。
【００３８】
位置更新要求を受信すると、新しいＭＳＣ／ＶＬＲ  ５０は、更新位置をＨＬＲ  ４０に対して送信して、移動局８０に関連する加入者データを取り出し、また新しいＭＳＣ／ＶＬＲ  ５０のアドレスでＨＬＲ  ４０を更新する。さらに、移動局８０は、もはや以前のＭＳＣ／ＶＬＲ  ６０によってサービスされる位置エリア６５の中には位置していないので、ＨＬＲ  ４０は、移動局８０の加入者データ・レコードを削除するように以前のＭＳＣ／ＶＬＲ  ６０に指示する位置取消しメッセージを以前のＭＳＣ／ＶＬＲ  ６０に対して送信する。
【００３９】
移動局８０についての着信するモバイル着信呼２０が、従来のワイヤレス・ネットワークにおけるように位置更新プロセス中にＧＭＳＣ３０において受信される場合、またはＭＳ  ８０が、基礎になっている２Ｇ／３Ｇ  ＶＭＳＣ以外の位置エリアを使用してＬＴＥネットワークの上でキャンプされるときに、ＧＭＳＣ  ３０は、着信呼を移動局８０に対して配信するルーティング情報についてＨＬＲ  ４０に問い合わせを行う。ＭＳ  ８０がＬＴＥ設備であるときのタイミング・オーバーラップまたは状況のいずれかに起因して、ＧＭＳＣの問い合わせが受信されるときに、ＨＬＲ  ４０が、まだ新しいＭＳＣ／ＶＬＲ  ５０から位置更新メッセージを受信していない場合、ＨＬＲ  ４０は、以前のＭＳＣ／ＶＬＲ  ６０についてのルーティング情報をＧＭＳＣ  ３０に対して戻す。したがって、ＧＭＳＣは、呼処理のためにモバイル着信呼２０を以前のＭＳＣ／ＶＬＲ  ６０に対してルーティングする。
【００４０】
以前のＭＳＣ／ＶＬＲ  ６０が、呼２０を受信するときに、それは、モバイル加入者が、移動局８０の位置エリア６５を決定するためにその加入者データにアクセスし、またその位置エリア６５の内部の移動局８０にページングして、モバイル着信呼についての移動局８０に対する呼接続を設定しようと試みる。しかしながら、移動局８０が、位置エリア６５の外へ移動しており、また位置エリア５５へと移動しており、また新しいＭＳＣ／ＶＬＲ  ５０に対する位置更新を現在実行しており、または基礎になっている２Ｇ／３Ｇ  ＭＳＣＶＬＲの位置エリア以外の位置エリアを使用してＬＴＥの上でキャンプされるので、移動局８０は、以前のＭＳＣ／ＶＬＲ  ６０からのページに応答することができないようになる。
【００４１】
したがって、本発明の実施形態に従って、ひとたび以前のＭＳＣ／ＶＬＲ  ６０が、移動局８０についての加入者レコードを削除するように以前のＭＳＣ／ＶＬＲ  ６０に要求する位置取消しメッセージをＨＬＲ  ４０から受信した後に、ＭＳＣ／ＶＬＲ  ６０は、移動局８０にページングすることを停止させる。ＨＬＲ  ４０と、以前のＭＳＣ／ＶＬＲ  ６０と、新しいＭＳＣ／ＶＬＲ  ５０とが、すべて、モバイル着信ローミング転送（ＭＴＲＦ）プロセスをサポートする場合、以前のＭＳＣ／ＶＬＲ  ６０は、新しいＭＳＣ／ＶＬＲ  ５０からルーティング情報を要求することができ、その結果、以前のＭＳＣ／ＶＬＲは、新しいＭＳＣ／ＶＬＲ  ５０に対して直接に呼２０を送信することができるようになる。ＨＬＲ  ４０と、以前のＭＳＣ／ＶＬＲ  ６０と、新しいＭＳＣ／ＶＬＲ  ５０とのうちの１つまたは複数が、ＭＴＲＦをサポートしない場合、以前のＭＳＣ／ＶＬＲ  ６０は、参照によって組み込まれているＷＯ第２００８／０３３９５１号、「Ｄｅｌｉｖｅｒｙ  ｏｆ  Ｍｏｂｉｌｅ  Ｔｅｒｍｉｎａｔｅｄ  Ｃａｌｌ  Ｄｕｒｉｎｇ  Ｉｎｔｅｒ−ＶＬＲ  Ｌｏｃａｔｉｏｎ  Ｕｐｄａｔｅ」において説明されるように、モバイル着信ローミング再試行（ＭＴＲＲ）プロセスに戻る。この場合（ＭＴＲＲ）において、以前のＭＳＣ／ＶＬＲ  ６０は、ＨＬＲ  ４０から新しいルーティング情報を要求し、またこの場合にも呼をルーティングしようと試みるＧＭＳＣ  ３０に対して呼をリリースして戻す。
【００４２】
本発明の一実施形態においては、新しいＭＳＣ／ＶＬＲ  ５０は、ＭＡＰ更新位置における「ＭＴＲＦサポート」フラグをＨＬＲ  ４０に対して送信し、ＨＬＲ  ４０は、取消し位置における新しいＭＳＣ／ＶＬＲアドレスを以前のＭＳＣ／ＶＬＲ  ６０に対して送信し、また次いで以前のＭＳＣ／ＶＬＲ  ６０は、ＭＴＲＦ要求メッセージ（またはＭＡＰ  ＰＲＮにおける「ＭＴＲＦ要求」インジケータ）を新しいＭＳＣ／ＶＬＲ  ５０に対して送信する。新しいＭＳＣ／ＶＬＲ  ５０は、ローミング情報を以前のＭＳＣ／ＶＬＲ  ６０に対して戻す。モバイル着信呼は、以前のＭＳＣ／ＶＬＲ  ６０から新しいＭＳＣ／ＶＬＲ  ５０へとローカルにルーティングされることになる。このメカニズムは、モバイル着信ローミング転送（ＭＴＲＦ）と呼ばれる。
【００４３】
図２は、この実施形態についての例示の信号方式を示す信号図である。説明の目的のために、図２は、本実施形態に直接に関連した信号を示すものである。図３は、本実施形態の一部分として交換される信号のより完全な図を示すものである。
【００４４】
ＭＳ  ８０についてのモバイル着信呼要求を受信し、また標準的な手順を経由してＭＳ  ８０に達することができる一時的なルーティング番号を決定した後に、図２で、ＧＭＳＣ  ３０は、移動局ローミング番号（ＭＳＲＮ：Ｍｏｂｉｌｅ  Ｓｔａｔｉｏｎ  Ｒｏａｍｉｎｇ  Ｎｕｍｂｅｒ）を含む初期アドレス・メッセージ（ＩＡＭ）を以前のＭＳＣ／ＶＬＲ  ６０に対して送信している。ＭＳＲＮは、モバイル着信呼について移動局８０に一次的に割り当てられ、またモバイル着信呼を以前のＭＳＣ／ＶＬＲ  ６０に対してルーティングするために使用され得るＥ．１６４番号である。それに応じて、以前のＭＳＣ／ＶＬＲ  ６０は、移動局８０にページングしようと試みる。しかしながら、このページングに先立って、移動局８０は、以前のＭＳＣ／ＶＬＲ  ６０の位置エリアを離れており、また１０４においてその新しい位置エリアにサービスする新しいＭＳＣ／ＶＬＲ  ５０に対して位置更新メッセージを送信している。代わりに、ＭＳ  ８０は、２Ｇ／３Ｇネットワークの上で位置更新メッセージを新しいＭＳＣ／ＶＬＲ  ５０に対してトリガするページをＬＴＥネットワークの上で受信している。位置更新メッセージに応じて、新しいＭＳＣ／ＶＬＲ  ５０は、１０６において「ＭＴＲＦサポート」フラグを含む位置更新メッセージをＨＬＲ  ４０に対して送信する。これは、新しいＭＳＣ／ＶＬＲ  ５０がＭＴＲＦをサポートすることをＨＬＲ  ４０に知らせる。
【００４５】
このメッセージに応じて、ＨＬＲ  ４０は、以前のＭＳＣ／ＶＬＲおよび新しいＭＳＣ／ＶＬＲとのそのローミング協定をチェックして、１０８における位置取消しメッセージの中に新しいＭＳＣ／ＶＬＲ  ５０のアドレスを含んでいるか否かを決定する。すべての３つの要素（ＨＬＲ  ４０、以前のＭＳＣ／ＶＬＲ  ６０、および新しいＭＳＣ／ＶＬＲ  ５０）が、ＭＴＲＦをサポートすることを仮定して、ＨＬＲ  ４０は、１０８において、新しいＭＳＣ／ＶＬＲ  ５０のアドレスを有する位置取消しメッセージを以前のＭＳＣ／ＶＬＲ  ６０に対して送信する。
【００４６】
それに応じて、以前のＭＳＣ／ＶＬＲ  ６０は、ＭＳ  ８０にページングすることを停止させ、取消し位置肯定応答メッセージ１１０をＨＬＲ  ４０に対して返信し、またＨＬＲ  ４０および以前のＭＳＣ／ＶＬＲ  ５０とのそのローミング協定をチェックする。ＭＴＲＦがサポートされる場合、以前のＭＳＣ／ＶＬＲ  ６０は、以前のＭＳＣ／ＶＬＲ  ６０のアドレスを有するＭＴＲＦ要求１１２を新しいＭＳＣ／ＶＬＲ  ５０に対して送信する。この要求はまた、「ＭＴＲＦ」インジケータを有する提供ローミング番号（ＰＲＮ）メッセージと呼ばれることもある。ＭＴＲＦが、ＨＬＲ  ４０と、以前のＭＳＣ／ＶＬＲ  ６０と、新しいＭＳＣ／ＶＬＲ  ５０とのうちの１つまたは複数によってサポートされない場合、以前のＭＳＣ／ＶＬＲ  ６０は、モバイル着信ローミング再試行（ＭＴＲＲ）プロセスに戻る。
【００４７】
次いで、新しいＭＳＣ／ＶＬＲ  ５０は、以前のＭＳＣ／ＶＬＲ  ６０からのＭＴＲＦ要求を、まるでそれがＨＬＲ  ４０からのＰＲＮメッセージであるかのように処理し、いくつかの小さな修正形態が本明細書において説明されている。一実施形態においては、ＭＴＲＦ要求メッセージは、「ＭＴＲＦ要求」インジケータの追加を伴う標準的なＰＲＮメッセージを含むことができる。新しいＭＳＣ／ＶＬＲ  ５０は、ＭＴＲＦのためにＨＬＲ  ４０および以前のＭＳＣ／ＶＬＲ  ６０とのローミング協定をチェックすることができる。ＭＴＲＦが、許可される場合、新しいＭＳＣ／ＶＬＲ  ５０は、１１４において、新しいＭＳＲＮ’を有するＭＴＲＦ肯定応答メッセージを以前のＭＳＣ／ＶＬＲ  ６０に対して戻す。それに応じて、以前のＭＳＣ／ＶＬＲ  ６０は、新しいＭＳＲＮ’を有するステップ１００のＩＡＭを新しいＭＳＣ／ＶＬＲ  ５０に対して転送し、また呼設定は、ステップ１１８、１２０および１２２に示されるように、普通に進む。新しいＭＳＣ／ＶＬＲ  ５０が、以前のＭＳＣ／ＶＬＲ  ６０からのＭＴＲＦ要求を拒絶する場合、新しいＭＳＣ／ＶＬＲ  ５０は、否定応答を以前のＭＳＣ／ＶＬＲ  ６０に対して戻し、その結果、以前のＭＳＣ／ＶＬＲ  ６０は、ＭＴＲＲをトリガすることができるようになる。
【００４８】
ＨＬＲ  ４０と、新しいＭＳＣ／ＶＬＲ  ５０と、以前のＭＳＣ／ＶＬＲ  ６０とが、同じ公衆回線モバイル・ネットワーク（ＰＬＭＮ）の内部にある場合、ＭＴＲＦ要求は、常にトリガされる可能性がある。
【００４９】
ＰＬＭＮの間で、ＨＬＲ  ４０と、新しいＭＳＣ／ＶＬＲ  ５０と、以前のＭＳＣ／ＶＬＲ  ６０とが、３つの異なるＰＬＭＮに属することができる場合に、それらの間のローミング協定は、ＭＴＲＦとのローミング呼にどのようにして課金すべきかについての課金条項を含んでいる。ＭＴＦＲについてのローミング協定なしには、ＭＴＲＲが適用される。例えば、ＨＬＲ  ４０と新しいＭＳＣ／ＶＬＲ  ５０とが、同じＰＬＭＮに属しており、また以前のＭＳＣ／ＶＬＲ  ６０が、国際的なＭＳＣ／ＶＬＲである場合に、ＨＬＲ  ４０は、ＭＴＲＦを許可すべきではない。
【００５０】
本実施形態においては、ＭＴＲＦは、送信ＩＤメッセージを必要とはしない。それは、国際モバイル加入者識別情報（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）を用いて位置更新のために機能する。上記で指摘されるように、ＭＴＲＦは、既存のＭＴＲＲと後方互換性がある。新しいＭＳＣ／ＶＬＲ  ５０がＭＴＲＦをサポートしない場合、そのときには以前のＭＳＣ／ＶＬＲ  ６０は、位置取消しメッセージが受信されるときにＭＴＲＲをトリガする。
【００５１】
事前にページングするために、ＨＬＲ  ４０は、ＭＴＲＲをトリガする。
【００５２】
図３は、図１に示される実施形態による、モバイル着信呼を移動局８０に対して配信するための例示の信号方式のより詳細な図を示す信号図である。
【００５３】
図３において、ＧＭＳＣ  ３０が、移動局８０についてのモバイル着信呼要求を受信するときに、ＧＭＳＣは、２００において示されるように、以前のＭＳＣ／ＶＬＲに対する呼のルーティングについてのルーティング情報を取り出す送信ルーティング情報（ＳＲＩ：Ｓｅｎｄ  Ｒｏｕｔｉｎｇ  Ｉｎｆｏｒｍａｔｉｏｎ）メッセージをＨＬＲ  ４０に対して送信する。２０２において、ＨＬＲ  ４０は、移動局８０が以前のＭＳＣ／ＶＬＲ  ６０を識別するための加入者レコードにアクセスし、また提供ローミング番号（ＰＲＮ）メッセージを以前のＭＳＣ／ＶＬＲ  ６０に対して送信する。
【００５４】
それに応じて、以前のＭＳＣ／ＶＬＲ  ６０は、モバイル着信呼についての移動局ローミング番号（ＭＳＲＮ）を含むＰＲＮ肯定応答メッセージ２０４をＨＬＲ  ４０に対して返信する。ＨＬＲ  ４０は、２０６においてＳＲＩ肯定応答メッセージの形でＭＳＲＮをＧＭＳＣ  ３０に対して転送する。受信されたＭＳＲＮを使用して、ＧＭＳＣ  ３０は、呼について２０８においてＭＳＲＮを含む初期アドレス・メッセージ（ＩＡＭ）を生成し、また以前のＭＳＣ／ＶＬＲ  ６０に対して送信する。ＩＡＭの受信のすぐ後に、以前のＭＳＣ／ＶＬＲ  ６０は、移動局８０が、それを最後に報告した移動局が位置していた位置エリアを決定するために一時的な加入者レコードにアクセスし、また２１０において、その位置エリアの内部の移動局にページングする。
【００５５】
以前のＭＳＣ／ＶＬＲ  ６０によるページングに先立って、または異なる位置エリアにおける２Ｇ／３Ｇ  ＶＭＳＣへと戻るようにＭＳ  ８０にさせる、ＬＴＥネットワークの上の以前のＶＭＳＣからのページを受信することに応じて、移動局８０は、２１２において位置更新要求を新しいＭＳＣ／ＶＬＲ  ５０に対して送信する。２１４における移動局８０の認証の後に、新しいＭＳＣ／ＶＬＲ  ５０は、２１６において、位置更新メッセージをＨＬＲ  ４０に対して送信して、新しいＭＳＣ／ＶＬＲ  ５０のアドレスを用いてＨＬＲ  ４０を更新する。新しいＭＳＣ／ＶＬＲ  ５０はまた、位置更新メッセージの中のモバイル着信ローミング転送（ＭＴＲＦ）フラグを設定する。これは、以前のＭＳＣ／ＶＬＲ  ６０が、ＭＴＲＦをサポートすることをＨＬＲ  ４０に知らせる。
【００５６】
位置更新メッセージに応じて、ＨＬＲ  ４０は、以前のＭＳＣ／ＶＬＲおよび新しいＭＳＣ／ＶＬＲとのローミング協定をチェックして、２１８において位置取消しメッセージの中に新しいＭＳＣ／ＶＬＲ  ５０のアドレスを含むべきか否かを決定する。すべての３つの要素（ＨＬＲ  ４０、以前のＭＳＣ／ＶＬＲ  ６０、新しいＭＳＣ／ＶＬＲ  ５０）が、ＭＴＲＦをサポートすることを仮定して、ＨＬＲ  ４０は、２１８において、新しいＭＳＣ／ＶＬＲ  ５０のアドレスを有する位置取消しメッセージを以前のＭＳＣ／ＶＬＲ  ６０に対して送信し、以前のＭＳＣ／ＶＬＲに移動局８０についての一次的加入者レコードを削除するように要求する。ひとたび以前のＭＳＣ／ＶＬＲが、移動局８０についての加入者レコードを削除した後に、以前のＭＳＣ／ＶＬＲは、ステップ２２２においてＭＳ  ８０にページングすることを停止させ、また取消し位置肯定応答メッセージ２２０をＨＬＲ  ４０に対して返信する。
【００５７】
位置更新プロセスの追加のステップは、２２４、２２８、および２３０において実行される。
【００５８】
位置取消しメッセージ２１８を受信した後に、以前のＭＳＣ／ＶＬＲ  ６０はまた、ＨＬＲ  ４０および新しいＭＳＣ／ＶＬＲ  ５０とのそのローミング協定をチェックする。ＭＴＲＦが許可される場合、以前のＭＳＣ／ＶＬＲ  ６０は、以前のＭＳＣ／ＶＬＲ  ６０のアドレスを有するＭＴＲＦ要求２２６を新しいＭＳＣ／ＶＬＲ  ５０に対して送信する。この要求はまた、「ＭＴＲＦ」インジケータを有する提供ローミング番号（ＰＲＮ）メッセージと呼ばれることもある。
【００５９】
次いで、新しいＭＳＣ／ＶＬＲ  ５０は、ＭＴＲＦ要求を、まるでそれがＨＬＲ  ４０からのＰＲＮメッセージであるかのように、処理し、また２３２、２３４において新しいＭＳＲＮ’を有するＭＴＲＦ肯定応答メッセージを以前のＭＳＣ／ＶＬＲ  ６０に対して戻す。それに応じて、以前のＭＳＣ／ＶＬＲ  ６０は、ステップ２３６において、新しいＭＳＲＮ’を有するステップ２０８のＩＡＭを新しいＭＳＣ／ＶＬＲ  ５０に対して転送する。新しいＭＳＣ／ＶＬＲ  ５０は、２３８において、位置更新手順が完了するまで、設定を遅延させ、また２４０において、位置更新受入メッセージ２４０を移動局８０に対して送信する。次いで、呼設定は、ステップ２４２〜２４８に示されるように正常に進行する。
【００６０】
図４は、図１および２において示される実施形態による、モバイル着信呼を移動局８０に対して配信するための例示のプロセスを示すフローチャートである。ブロック３１０において、移動局８０に対するモバイル着信呼についてのＩＡＭが、以前のＭＳＣ／ＶＬＲにおいて受信され、またブロック３２０において、新しいＭＳＣ／ＶＬＲ  ５０のアドレスを含む、移動局８０についての位置取消しメッセージが、やはり以前のＭＳＣ／ＶＬＲ  ６０において受信されるときに、そのときにはブロック３３０において、以前のＭＳＣ／ＶＬＲ  ６０は、代替ＭＳＲＮを要求するＭＴＲＦ要求を新しいＭＳＣ／ＶＬＲ  ５０に対して直接に送信する。ブロック３４０においてＭＳＲＮを受信するとすぐに、以前のＭＳＣ／ＶＬＲ  ６０は、代替ＭＳＲＮを有するＩＡＭを新しいＭＳＣ／ＶＬＲ  ５０に対して転送する。
【００６１】
このようにして、ＧＭＳＣ  ３０が、以前のＭＳＣ／ＶＬＲ  ６０と新しいＭＳＣ／ＶＬＲ  ５０とから遠く離れている場合に、呼の不必要なルーティングが、回避される。また、ＧＭＳＣ  ３０が、以前のＭＳＣ／ＶＬＲ  ６０と新しいＭＳＣ／ＶＬＲ  ５０とから遠距離にある場合に、呼設定時間は、低減される。
【００６２】
１つの例の中の図１における装置は、１つまたは複数の電子コンポーネント、ハードウェア・コンポーネント、コンピュータ・ソフトウェア・コンポーネントなど、複数のコンポーネントを備える。いくつかのそのようなコンポーネントは、装置１００の中で組み合わされ、または分割される可能性がある。装置１００のコンポーネントの例は、当業者によって理解されることになるように、いくつかのプログラミング言語のうちのどれかで書かれ、または実装される１組および／または一連のコンピュータ命令を使用し、かつ／または含んでいる。
【００６３】
本明細書において説明されるステップまたはオペレーションは、単なる例にすぎない。本発明の趣旨を逸脱することなく、これらのステップまたはオペレーションに対する多数の変形形態が存在する可能性がある。例えば、それらのステップは、異なる順序で実行されてもよく、あるいはステップは、追加されても、削除されても、または修正されてもよい。
【００６４】
本発明の実施形態の例が、本明細書において詳細に示され、また説明されているが、様々な修正、追加、置換などが、本発明の趣旨を逸脱することなく行われる可能性があり、またこれらは、それゆえに、添付の特許請求の範囲において規定されるような本発明の範囲内にあるように考えられることが、関連技術における当業者にとって明らかであろう。
【図１】
0005795084.tif 000002
【図２】
0005795084.tif 000003
【図３】
0005795084.tif 000004
【図４】
0005795084.tif 000005